(57)【要約】【課題】  所定数の紙幣を施封するための紙帯に対する印字内容を、ユーザの要望や施封する券種に応じて簡単、かつ、確実に設定することができる。【解決手段】  所定数の紙幣を施封するための紙帯に対する印字内容の設定画面において、紙帯に印字される情報のレイアウトとして、紙帯に印字する各種の情報を色分けして表示したり、紙帯を所定数の紙幣に巻きつけた場合のエッジ位置を示す情報を紙幣の券種ごとに色分けして表示したりし、このような表示状態において紙帯に印字する内容を設定するようにしたものである。【選択図】      図３
2006350823.tif 000002
【特許請求の範囲】
【請求項１】
紙葉類を所定数ごとに施封する紙葉類処理装置において、
紙葉類を所定数ごとに紙帯を巻いて施封する施封手段と、
この施封手段により紙葉類を施封するための紙帯に情報を印字する印字手段と、
この印字手段により紙帯に印字する印字内容を設定する設定手段と、
この設定手段により設定された印字内容を前記印字手段により紙帯に印字した場合の紙帯上のイメージを表示する表示手段と、
を具備することを特徴とする紙葉類処理装置。
【請求項２】
前記設定手段は、紙帯上における情報の印字位置を設定し、
前記表示手段は、前記設定手段により設定されている印字位置に基づく紙帯上の情報の印字領域を示すイメージを表示する、
ことを特徴とする前記請求項１に記載の紙葉類処理装置。
【請求項３】
前記設定手段は、紙帯に印字する複数種類の情報のそれぞれの印字位置を設定し、
前記表示手段は、前記設定手段により設定されている各情報に対する印字位置に基づく各情報の紙帯上における印字領域を色分けして表示する、
ことを特徴とする前記請求項１に記載の紙葉類処理装置。
【請求項４】
前記設定手段は、紙帯に印字する複数種類の情報のそれぞれの印字位置を設定し、
前記表示手段は、前記設定手段により設定されている各情報に対する印字位置に基づく各情報の紙帯上における印字領域のうち、印字領域が重なっている領域を他の領域とは異なる色で表示する、
ことを特徴とする前記請求項１に記載の紙葉類処理装置。
【請求項５】
前記表示手段は、さらに、紙帯上のイメージにおいて、当該紙帯で紙葉類を施封した場合のエッジ位置を表示する、
ことを特徴とする前記請求項１に記載の紙葉類処理装置。
【請求項６】
前記表示手段は、さらに、紙帯上のイメージにおいて、当該紙帯で紙葉類を施封した場合の各紙葉類の種類ごとのエッジ位置を表示する、
ことを特徴とする前記請求項５に記載の紙葉類処理装置。
【請求項７】
各紙葉類の種類ごとのエッジ位置は、それぞれ各紙葉類の種類に応じた色で表示される、
ことを特徴とする前記請求項６に記載の紙葉類処理装置。
【請求項８】
さらに、前記設定手段により設定された設定内容の保存を指示するための保存指示手段と、
前記保存指示手段が指示された際に、前記表示手段により表示されている設定内容を設定情報として保存する保存手段と、を有することを特徴とする前記請求項１に記載の紙葉類処理装置。
【請求項９】
さらに、前記設定手段により設定された設定内容を保存するための設定名を指定するための設定名指定手段を有し、
前記保存手段は、前記設定手段により設定された設定内容を前記設定名指定手段により指定された設定名で保存する、
ことを特徴とする前記請求項８に記載の紙葉類処理装置。
【請求項１０】
さらに、管理者であるか否かを認証する認証手段を有し、
前記設定手段は、前記認証手段により認証された管理者による操作によってのみ設定処理を実行する、ことを特徴とする前記請求項１に記載の紙葉類処理装置。
【発明の詳細な説明】
【技術分野】
【０００１】
この発明は、所定の情報を印字した紙帯を用いて所定数の紙葉類を施封する紙葉類処理装置に関する。
【背景技術】
【０００２】
従来、紙葉類処理装置としての紙幣処理装置では、所定数の紙幣に紙帯を巻いて施封するものがある。このような紙幣処理装置では、たとえば、複数の紙幣を券種あるいは紙幣の状態などの条件に応じて区分する。さらに、区分した紙幣のうち所定数となった特定の紙幣については、所定の情報を印字した紙帯を巻いて施封する。また、このような紙幣処理装置では、所定数の紙幣を施封するための紙帯には、予め設定されている種々の情報が印字される。従来の紙幣処理装置において、紙帯には、予め設定されている所定の印字内容、あるいは、特殊な操作によってのみ設定される印字内容を印字するようになっている。このため、従来の紙幣処理装置では、紙帯の印字内容を変更するのは困難である。
【０００３】
しかしながら、上記紙帯に印字する情報は、容易に変更できることが望ましい。たとえば、施封処理を行った者を示す情報、あるいは、施封を行った日時などの情報は、ユーザの要望に応じたフォーマットで紙帯に印字するのが望ましい。また、紙幣のサイズが券種ごとに異なる場合、紙帯上の印字領域は、券種ごとに異なる。このため、紙帯に印字する内容は、券種ごとに設定できるのが望ましい。このように、紙葉類処理装置では、紙帯の印字内容を、ユーザの要望あるいは施封する券種などに応じて、臨機応変に簡単に設定できるものが要望されている。
【特許文献１】特開２００２−３１９１５３号
【特許文献２】特開２００３−２８１５９８号
【発明の開示】
【発明が解決しようとする課題】
【０００４】
この発明は、上記のような要望を解決するものであり、ユーザの要望に応じて所定数の紙葉類を施封するための紙帯に印字する内容を簡単に設定することができる紙葉類処理装置を提供することを目的とする。
【課題を解決するための手段】
【０００５】
この発明の紙葉類処理装置は、紙葉類を所定数ごとに施封するものにおいて、紙葉類を所定数ごとに紙帯を巻いて施封する施封手段と、この施封手段により紙葉類を施封するための紙帯に情報を印字する印字手段と、この印字手段により紙幣に印字する印字内容を設定する設定手段と、この設定手段により設定された印字内容を前記印字手段により紙帯に印字した場合の紙帯上のイメージを表示する表示手段とを有する。
【発明の効果】
【０００６】
この発明によれば、ユーザの要望に応じて所定数の紙葉類を施封するための紙帯に印字する内容を簡単に設定することができる紙葉類処理装置を提供できる。
【発明を実施するための最良の形態】
【０００７】
この発明を実施するための最良の形態について図面を参照しつつ詳細に説明する。  
図１は、この発明の実施の形態に係る紙幣処理システム（紙葉類処理装置）の概略構成を示すものである。  
この紙幣処理システムは、紙幣処理装置本体１と紙幣処理装置本体１を操作するための制御装置２とから構成されている。上記制御装置２が制御する紙幣処理装置本体１は、１台であっても、複数台であっても良い。
【０００８】
紙幣処理装置本体１は、区分集積装置１Ａと施封装置１Ｂとを有している。紙幣処理装置本体１では、１つの区分集積装置１Ａに対して任意の数の施封装置１Ｂが接続可能な構成となっている。上記区分集積装置１Ａは、紙幣を券種あるいは状態に応じて区分し、区分した紙幣を種類あるいは状態ごとに集積する。上記施封装置１Ｂは、所定数毎の紙幣に紙帯を巻きつけて紙幣の束を作成する施封処理を行う。
【０００９】
上記区分集積装置１Ａは、複数の種類からなる複数の紙幣が一括して投入される。上記区分集積装置１Ａは、投入された各紙幣の種類及び状態に応じて分類する。上記区分集積装置１Ａは、分類した紙幣を各集積庫（カセット）あるいは施封装置１Ｂへ搬送する。上記施封装置１Ｂは、上記区分集積装置１Ａから供給される紙幣を集積庫（カセット）に集積し、所定数毎に紙帯で施封する。
【００１０】
上記制御装置２は、上記紙幣処理装置本体１の制御、上記紙幣処理装置本体１に対する動作設定、あるいは上記紙幣処理装置本体１による処理データの管理などを行う。上記制御装置２は、たとえば、パーソナルコンピュータにより構成される。上記制御装置２は、後述する表示部、操作部および記憶部などを有している。
【００１１】
次に、上記紙幣処理装置本体１の内部の構成について説明する。
【００１２】
図１に示すように、紙幣処理装置本体１は、区分集積装置１Ａおよび施封装置１Ｂにより構成されている。
【００１３】
上記区分集積装置１Ａには、複数の紙幣Ｐを投入する投入部４が設けられている。上記投入部４には、複数の種類が混在する複数の紙幣が一括して投入される。上記投入部４に投入される紙幣Ｐは、それぞれ長手方向と短手方向とを有する。上記投入部４には、紙幣の長手方向の上端或いは下端が下を向く姿勢で投入される。
【００１４】
上記投入部４は、ステージ５、バックアッププレート６、および、取出しローラ１０を有している。上記ステージ５には、複数の紙幣Ｐがその上端或いは下端に当接して整位された状態で投入される。上記バックアッププレート６は、上記ステージ５に対して鉛直方向に立設されている。上記バックアッププレート６は、ばね８によりステージ５に沿って取出しローラ１０側（図中左方向）に移動するようになっている。上記取出しローラ１０は、１対のローラにより構成される。上記取出しローラ１０は、所定方向に回転することによりステージ５上の図中左端にある紙幣Ｐを順に取り出す。したがって、上記投入部４に投入された複数の紙幣Ｐは、バックアッププレート６によってステージ５に沿って図中左方向に移動され、取出しローラ１０（取出し部）に押し付けられる。
【００１５】
上記取出しローラの後段には、搬送路１２が設けられている。上記搬送路１２は、複数のローラ１５と搬送ベルト１４、１６により構成されている。上記搬送路１２では、複数のローラ１５により駆動する搬送ベルト１４、１６により紙幣Ｐが搬送される。上記搬送路１２には、上記取出しローラ１０により取り出された紙幣Ｐが順に供給される。たとえば、上記取出しローラ１０は、紙幣Ｐをその上端或いは下端を先頭にして短手方向に搬送路１２に供給する。また、上記取出しローラ１０により搬送路１２上に供給される紙幣Ｐは、表裏がばらばらの状態となっている。図１に示す構成例では、上記投入部４から取出される紙幣Ｐの取出し方向は下向きとなっている。
【００１６】
上記取出しローラ１０の後段に延設された搬送路１２上には、検知部３０が設けられている。上記検知部３０は、紙幣Ｐの券種、表裏、天地、汚れや破損の有無等の特徴を検知する。上記検知部３０は、種々のセンサにより構成される。上記検知部３０に設けられる種々のセンサは、搬送路１２を搬送される紙幣Ｐから種々の情報を読み取る。上記検知部３０には、たとえば、紙幣Ｐの表面の画像を読み取るイメージセンサ、紙幣Ｐの厚さを検知するセンサ、紙幣Ｐに含まれる磁性体を検知するセンサなどが設けられる。上記検知部３０の各センサにより読み取った情報に基づいて、後述する判定部は、上述したような紙幣Ｐの特徴を判定する。
【００１７】
図１に示す区分集積装置１Ａでは、表裏および天地がばらばらの状態の複数の紙幣Ｐが上記投入部４に投入される。このため、上記検知部３０を通過する各紙幣Ｐも、表裏および天地がばらばらな状態となっている。ここで、上記検知部３０を通過する紙幣Ｐの表裏および天地に関する向きは４種類ある。以下の説明では、表面が上方を向いて搬送方向前方に対して上端を向けて取出された紙幣Ｐを表上（ＦＦ）券と称し、表面が上方を向いて搬送方向前方に対して下端を向けて取出された紙幣Ｐを表下（ＦＲ）券と称し、裏面が上方を向いて搬送方向前方に対して上端を向けて取出された紙幣Ｐを裏上（ＢＦ）券と称し、裏面が上方を向いて搬送方向前方に対して下端を向けて取出された紙幣Ｐを裏下（ＢＲ）券と称する。つまり、検知部３０を通過して搬送される紙幣Ｐは、これら４種類の搬送姿勢のうちいずれかの姿勢で搬送されることになる。
【００１８】
上記検知部３０の後段に延設された搬送路１２上には、検知部３０における検知結果に基づいて紙幣Ｐの搬送方向を選択的に切換えるための複数のゲートＧ１〜Ｇ９が設けられている。
【００１９】
まず、ゲートＧ１は、紙幣Ｐを後段の処理が可能なものとリジェクトするものとに振り分ける。たとえば、上記検知部３０において、後段の処理が不可能であることが判定された紙幣は、ゲートＧ１を介してリジェクト箱３２（図中右方向）へ搬送される。後段の処理が不可能な紙幣としては、たとえば、２枚取りが判定された紙幣、所定のレベルを超えて大きくスキューしたことが判定された紙幣、或いは再流通可能な正券と判定されなかった損券や偽券などの紙幣（紙幣とは限らない）などがある。上記リジェクト箱３２には、紙葉類処理装置１の外部からアクセスが可能となっている。つまり、リジェクト箱３２に集積された紙幣Ｐは、係員が取り出すことができるようになっている。
【００２０】
一方、検知部３０において後段の処理が可能であると判定された紙幣Ｐは、ゲートＧ１を介してゲートＧ２（図中左方向）へ搬送される。ゲートＧ２は、表裏に応じて紙幣Ｐを振り分けるようになっている。ゲートＧ２の下流側の搬送路は、２方向に分岐されている。すなわち、ゲートＧ２は、表裏の状態に応じて紙幣Ｐの搬送方向を２方向に選択的に切換える。
【００２１】
ゲートＧ２の下流側で分岐された一方の搬送路上には、紙幣Ｐの表裏を反転させるための表裏反転機構３４（表裏反転部）が設けられている。また、ゲートＧ２の下流側で分岐された他方の搬送路３６は、紙幣Ｐの表裏を変化させずに、単に紙幣Ｐを通過させる搬送パスとなっている。すなわち、ゲートＧ２の後段では、紙幣Ｐの表裏を取り揃えられるようになっている。
【００２２】
上記表裏反転機構３４は、２組の搬送ベルト３３、３５により構成される。上記搬送ベルト３３および３５は、その入口から出口に向けて中心軸の回りで１８０°回転されたねじり搬送路を形成している。したがって、上記ゲートＧ２により表裏反転機構３４へ振り分けられた紙幣Ｐは、表裏反転される。たとえば、ＦＦ券は、上記表裏反転機構３４により表裏反転され、裏面を上にしたＢＦ券に反転される。
【００２３】
上記表裏反転機構３４を通過して表裏反転された紙幣Ｐ、および、上記表裏反転機構３４を通過せずに搬送路（搬送パス）３６を通過した紙幣Ｐは、いずれも合流部３８を介してゲートＧ３に送り込まれる。また、
ゲートＧ２から表裏反転機構３４を介して合流部３８に至る紙幣Ｐの処理時間（搬送時間）とゲートＧ２から搬送路３６を介して合流部３８に至る紙幣Ｐの搬送時間とが同じになるように設定されている。これにより、表裏反転機構３４を介して搬送された紙幣Ｐと搬送路３６を通過された紙幣Ｐとが同じタイミングで合流部３８を通過する。
【００２４】
ゲートＧ３は、合流部３８を通過した紙幣Ｐを振り分けるようになっている。ゲートＧ３の下流側の搬送路は、２方向に分岐されている。ゲートＧ３は、紙幣Ｐの種類（あるいは状態）に応じて紙幣Ｐの搬送方向を２方向に選択的に切換える。
【００２５】
ゲートＧ３の下流側で分岐された一方の搬送路は、紙幣Ｐを施封装置１Ｂへ搬送するための搬送路である。また、ゲートＧ３の下流側で分岐された他方の搬送路（水平搬送路）４０は、紙幣Ｐを区分集積装置１Ａ内の各集積庫４１〜４６に集積するための搬送路である。また、各集積庫４１〜４６には、それぞれ紙幣の有無を検知するセンサが設けられている。
【００２６】
すなわち、ゲートＧ３により図中右方向に分岐された水平搬送路４０は、複数の集積庫４１〜４６の上方で略水平方向に延びた搬送路を形成している。水平搬送路４０上には、紙幣Ｐを６つの集積庫４１〜４６のうちのいずれか１つに振り分けて集積するための５つのゲートＧ５〜Ｇ９が設けられている。
【００２７】
水平搬送路４０の最も上流側にあるゲートＧ５によって選択的に振り分けられた紙幣Ｐは集積庫４１に集積される。ゲートＧ６によって選択的に振り分けられた紙幣Ｐは集積庫４２に集積される。ゲートＧ７によって選択的に振り分けられた紙幣Ｐは集積庫４３に集積される。ゲートＧ８によって選択的に振り分けられた紙幣Ｐは集積庫４４に集積される。ゲートＧ９によって選択的に振り分けられた紙幣Ｐは集積庫４５或いは集積庫４６に集積される。
【００２８】
上記施封装置１Ｂは、図１に示すように、集積庫（第１の集積庫）５１、集積庫（第２の集積庫）５２、供給部５３、施封機構５４、印刷機構５５、帯供給部５６を有している。上記集積庫５１、５２は、それぞれゲートＧ４を介して送り込まれた紙幣Ｐを集積する。各集積庫５１、５２には、それぞれ紙幣の有無を検知するセンサが設けられている。
【００２９】
上記供給部５３は、集積庫５１あるいは５２に集積された所定枚数（たとえば１００枚）の紙幣Ｐを施封機構５４に供給する。上記施封機構５４は、供給部５３によって供給される集積庫５１あるいは５２に集積された所定枚数（たとえば１００枚）の紙幣Ｐを紙帯（施封帯）Ｓで施封する施封機構である。
【００３０】
上記印刷機構５５は、上記施封機構５４で所定枚数の紙幣Ｐを施封するために使用する紙帯Ｓに予め設定されているフォーマットに基づいて印字内容を印字する。この印刷機構５５により紙帯Ｓに印字する情報およびフォーマットは、後述する紙帯のプリントの設定画面において設定される。上記帯供給部５６は、上記印刷機構５５で所定の情報を印字した紙帯Ｓを上記施封機構５４へ供給する。これにより、上記施封機能５４では、印刷機構で所定の情報を印字した紙帯Ｓを用いて所定数の紙幣を施封する。
【００３１】
たとえば、図２は、紙帯Ｓにより施封された紙幣の束を示している。図２に示す例では、上記印刷機構５５により紙帯Ｓに、各種の情報として、シーケンス情報「００００００１」、日付情報「０４／０１／０３」、オペレータ情報「ＡＢＣＤＥＦ」などが印字されている。これらの情報は、後述する紙帯のプリント設定において設定された位置（印刷開始位置Ａ１、Ａ２、Ａ３）に基づいて紙帯上に印字される。
【００３２】
上記施封装置１Ｂには、上記区分集積装置１ＡのゲートＧ３により図中左方向に分岐された搬送路によって紙幣Ｐが供給される。上記区分集積装置１Ａから供給された紙幣Ｐは、施封装置１Ｂ内においてゲートＧ４により搬送方向が２方向に選択的に切換えられる。ゲートＧ４によって分岐搬送される紙幣Ｐは、施封装置１Ｂ内の集積庫５１あるいは集積庫５２に選択的に集積される。
【００３３】
上記ゲートＧ４を介していずれかの集積庫５１あるいは５２に集積された紙幣Ｐは、供給部５３によって施封機構５４へ送り込まれる。一方、帯供給部５６は、上記印刷機構５５で所定の情報を印字した紙帯を当該施封機能５４に供給する。これにより、上記施封機構５４は、上記帯供給部５６から供給された紙帯Ｂによって上記供給部５３により供給された所定枚数の紙幣Ｐを施封する。所定枚数毎に紙帯Ｂにって施封された紙幣Ｐの束は、図示しないコンベアを介して装置外へ搬出される。
【００３４】
なお、上記区分集積装置１Ａでは、後述する設定に基づいて特定の券種を施封装置１Ｂへ供給するようになっている。したがって、上記施封装置１Ｂでは、上記区分集積装置１Ａが供給される特定の券種の紙幣を紙帯Ｂによって施封するようになっている。また、施封装置１Ｂにて施封すべき券種以外の券種の紙幣Ｐは、上記区分集積装置１Ａ内の集積庫４１〜４６のいずれかに集積される。
【００３５】
次に、紙葉類処理システムの制御系について説明する。  
図３は、上記紙幣処理システムの制御系のブロック図を示す図である。  
上記紙幣処理装置本体１の区分集積装置１Ａの制御系は、図３に示すように、制御部６０、記憶部６１、取出し制御部６２、搬送制御部６３、ゲート制御部６４、判定部６５などにより構成されている。
【００３６】
上記制御部６０は、予め設定した動作プログラムに従って区分集積装置１Ａの全体動作を制御する。上記記憶部６１には、上記制御部６０により実行される動作プログラムが記憶される。また、上記記憶部６１は、データの記憶用に用いられる。たとえば、上記記憶部６１には、各集積庫４１〜４６、および、施封装置１Ｂの集積庫５１、５２に集積される集積枚数を計数する計数テーブルが設けられている。
【００３７】
上記取出し制御部６２は、制御部６０の制御に基づいて取出しローラ１０の駆動するものである。上記搬送制御部６３は、制御部６０の制御に基づいて搬送ローラ１５、…の駆動するものである。上記ゲート制御部６４は、制御部６０の制御に基づいてゲートＧ１〜Ｇ３、Ｇ５〜Ｇ９の駆動を行うものである。
【００３８】
上記判定部６５は、検知部３０の検知結果に基づいて、紙幣Ｐの状態を判定するものである。上記判定部６５では、各センサにより読み取った情報と基準となる情報とを比較することにより紙幣Ｐの特徴を判定する。また、上記判定部６５は、検知部３０の検知結果に基づく判定結果を制御部６０に出力するものである。
【００３９】
たとえば、上記判定部６５は、当該紙幣Ｐの券種を判定するとともに、当該紙幣Ｐの表裏および天地を判定する。さらに、上記判定部６５は、当該紙幣Ｐが正券か損券かを判定する。正券とは、再流通が可能な券であり、損券とは、再流通が不可な券である。つまり、正券か損券かは、紙幣の状態（質）の良し悪しにより判定されるものである。上記判定部６５では、紙幣の汚れ、破れ、折れ、紙質、テープ貼り等の度合いによって正券か損券かを判定する。
【００４０】
上記紙幣処理装置本体１の施封装置１Ｂの制御系は、図３に示すように、制御部７０、記憶部７１、搬送制御部７２、ゲート制御部７３、移動機構７４、施封機構５４、印刷機構５５などにより構成されている。  
上記制御部７０は、予め設定した動作プログラムに従って施封装置１Ｂの全体動作を制御する。上記記憶部７１には、上記制御部７０により実行される動作プログラムが記憶される。上記搬送制御部７２は、上記制御部７０の制御に基づいて搬送ローラを駆動するものである。上記ゲート制御部７３は、上記制御部６０の制御に基づいてゲートＧ４の駆動を行うものである。上記移動機構７４は、上記制御部７０の制御に基づいて上記集積庫５１あるいは５２に集積された所定枚数の紙葉類を移動（搬送）するものである。
【００４１】
上記制御装置２の制御系は、図３に示すように、制御部８０、記憶部８１、表示部８２、操作部８３などにより構成されている。  
上記制御部８０は、予め設定した動作プログラムに従って制御装置２全体の制御を司るものである。たとえば、上記制御部８０は、係員からの操作指示に基づいて上記区分集積装置１Ａに対する各種の動作設定などを行う機能を有する。上記記憶部８１は、上記制御部８０により実行される動作プログラムが記憶される。また、上記記憶部８１には、区分集積装置１Ａの各集積庫４１〜４６、および、施封装置１Ｂの集積庫５１、５２に対する設定情報などが後述するプリセット（設定名）に対応して記憶される。
【００４２】
上記表示部８２は、制御部８０の表示制御に基づいて係員に対する操作案内などを表示するものである。上記操作部８３は、係員が操作指示を入力するものである。上記表示部８２は、ディスプレイ装置などにより構成される。上記操作部８３は、キーボードあるいはマウスなどの入力装置などにより構成される。上記表示部８２と上記操作部８３とは、たとえば、タッチパネル内蔵のディスプレイ装置により構成されるようにしても良い。さらに、上記表示部８２と上記操作部８３とは、タッチパネル内蔵のディスプレイ装置とキーボード等の入力装置とを設けた構成としても良い。
【００４３】
次に、上記制御装置２による施封装置１Ｂの紙帯に対する印刷内容の設定（紙帯プリント設定）について説明する。  
ここでは、上記表示部８２と上記操作部８３とは、タッチパネル内蔵のディスプレイ装置により構成されているものとする。また、紙帯プリント設定は、管理者（スーパーバイザ）により行われるものとする。
【００４４】
図４は、上記制御装置２において紙帯プリント設定画面を表示する動作を説明するためのフローチャートである。また、図５は、ログイン画面の表示例を示す図である。図６は、管理者の認証画面の表示例を示す図である。図７は、管理者用のメニュー画面の表示例を示す図である。
【００４５】
まず、上記制御部８０は、上記表示部８２にログイン画面を表示する（ステップＳ１）。たとえば、上記ログイン画面は、図５に示すように、スーパーバイザ（設定変更などの権限を有する管理者）とオペレータ（管理権限を持たない係員）との選択ボタンが表示される。このようなログイン画面において管理者を選択するボタンが入力されると（ステップＳ２、ＹＥＳ）、上記制御部８０は、上記表示部８２に当該管理者の認証画面を表示する（ステップＳ３）。たとえば、管理者の認証画面は、図６に示すように、当該管理者のＩＤ情報とパスワードとを入力画面を表示する。
【００４６】
このような画面において認証情報（ＩＤ情報とパスワード）が入力されると、上記制御部８０は、入力された認証情報が正しいか否かを判断する（ステップＳ４）。この判断により入力された認証情報が正しいと判断した場合（ステップＳ４、ＹＥＳ）、上記制御部８０は、上記表示部８２に管理者用のメニュー画面を表示する（ステップＳ５）。
【００４７】
たとえば、管理者用のメニュー画面には、図７に示すように、少なくとも紙帯に対する印刷内容の設定（紙帯プリント設定）を選択するボタンが表示される。このような管理者用のメニュー画面において紙帯プリント設定を選択するボタンが入力されると（ステップＳ６、ＹＥＳ）、上記制御部８０は、上記表示部８２に後述するような紙帯プリント設定画面を表示する（ステップＳ７）。この紙帯プリント設定画面において、施封装置１Ｂの印字機構により紙帯に印刷される情報及びフォーマットが設定される。
【００４８】
上記のように、紙帯プリント設定は、パスワード等の認証情報により認証された管理者のみが行えるようになっている。すなわち、上記紙幣処理システムでは、管理者により設定された設定内容に基づいて紙幣を施封する紙帯に対する印刷内容を設定するようになっている。これにより、一般のオペレータ（管理権限を有しない係員）が紙幣を施封する紙帯に対する印刷内容を変更してしまうことを防止することができる。
【００４９】
次に、紙帯プリント設定画面について説明する。  
図８は、紙帯プリント設定画面の表示例である。  
図８に示す紙帯プリント設定画面の表示例は、情報入力ボタン１０１、設定名の表示ウインドウ１０２、読込ボタン１０３、記憶ボタン１０４、ユニット表示ウインドウ１０５、レイアウト表示部（レイアウトイメージ）１１１、印字データ設定部１２０、日付印刷指定ボタン１２１、文字種指定ボタン１２２、日付フォーマット指定ボタン１２３、日付プリント開始位置１２４、適用ボタン１３１、全適用ボタン１３２、プリセットボタン１３４、リターンボタン１３５などから構成されている。
【００５０】
上記情報入力ボタン１０１は、情報を入力するための各種ボタンにより構成される。上記情報入力ボタン１０１は、タッチパネルにより入力可能なボタンで構成されている。上記情報入力ボタン１０１は、たとえば、数字、文字、記号などを入力するためのボタンが表示される。図９（ａ）（ｂ）（ｃ）は、上記情報入力ボタン１０１の表示例を示す図である。図９（ａ）では、情報入力ボタン１０１として数字を入力するためのテンキーが表示されている。図９（ｂ）では、情報入力ボタンとして文字を入力するためのアルファベットが表示されている。図９（ｃ）では、情報入力ボタンとして各種の記号を入力するための記号一覧が表示されている。図９（ａ）、図９（ｂ）、および、図９（ｃ）の表示画面は、各画面の下端に表示されるカーソルキー（「＜＜」キーと「＞＞」キー）を選択することにより切り替えられるようになっている。
【００５１】
上記表示ウインドウ１０２は、紙帯プリント設定ごとに与えられる設定名を表示する表示領域である。上記表示ウインドウ１０２には、図８に示すように、当該画面上に表示されている設定内容に対する設定名が表示される。上記表示ウインドウ１０２に表示される設定名は、たとえば、当該表示ウインドウ１０２の右端のボタン１０２ａをクリックすることにより変更することができるようになっている。
【００５２】
上記読込ボタン１０３は、上記表示ウインドウ１０２に表示されている設定名の設定内容を読み込むことを指示するボタンである。上記記憶ボタン１０４は、図８に示すような設定画面上に表示されている設定内容を、上記表示ウインドウ１０２に表示されている設定名で記憶することを指示するボタンである。
【００５３】
上記ユニット表示ウインドウ１０５は、設定した紙帯により施封を行うユニットを示す情報を表示する領域である。たとえば、図８に示す表示例において、上記ユニット表示ウインドウ１０５に表示されている「Ｓｔｒａｐｐｅｒ  Ｕｎｉｔ  １−１」は、第１の施封部の第１の集積部（図１に示す構成例では、施封装置１Ｂの集積部５１）を示している。
【００５４】
なお、本実施の形態のシステムでは、複数の施封装置が接続されることがある。このため、上記ユニット表示ウインドウ１０５には、施封装置とその施封装置における集積部とを示す情報が表示される。また、図１に示す施封装置１Ｂでは、１つの施封装置で１券種の紙幣を施封するものとしている。このため、ユニット表示ウインドウ１０５に表示されるユニット名は、対応する紙幣の券種を示す機能もはたしている。
【００５５】
また、上記ユニット表示ウインドウ１０５には、施封される紙幣の券種を表示するようにしてもよいし、ユニット名とそのユニットで施封される紙幣の券種とを表示するようにしてもよい。上記ユニット表示ウインドウ１０５に表示されるユニット、つまり、設定の対象とするユニットは、当該ユニット表示ウインドウ１０５の右端のボタン１０５ａをクリックすることにより変更することができるようになっている。
【００５６】
上記レイアウト表示部１１１は、紙帯に印字する情報のレイアウトを示している。上記レイアウト表示部１１１には、紙帯に印字される内容のイメージが表示される。上記レイアウト表示部１１１には、紙帯に印字する種々の情報が色分けして表示される。上記レイアウト表示部１１に表示される色とその色に対応する情報の種類とは、後述する印字データ設定部１２０においてどの情報がどの色に対応しているかが示されている。
【００５７】
また、上記レイアウト表示部１１１では、異なる種類の情報の印字領域（複数の印字領域）が重なった領域を所定の色で表示するようになっている。たとえば、重なった領域は、赤で表示される。紙帯に印字される情報は、文字などの情報である。
【００５８】
さらに、上記レイアウト表示部１１１では、施封した状態（所定数の紙幣に巻いた状態）における紙帯のエッジ位置が券種ごとに色分けして表示される。券種ごとに紙幣のサイズあるいは厚さが異なる場合、同数の紙幣であっても、紙帯のエッジ位置は、券種ごとに異なる。このため、上記レイアウト表示部１１１では、紙帯のエッジ位置を券種ごとに色分けして表示している。図８に示す例では、ユーロ紙幣を想定した場合の紙帯のエッジ位置を表示例を示している。ユーロ紙幣では、券種ごとに色分けされている。このため、券種に対する紙帯のエッジ位置は、それぞれの券種の色で表示されている。
【００５９】
上記印字データ設定部１２０は、印字する各種の情報の設定を行うものである。上記印字データ設定部１２０は、日付印字設定ボタン１２０Ａ、シーケンス印字設定ボタン１２０Ｂ、オペレータ印字設定ボタン１２０Ｃ、フリー印字設定ボタン１２０Ｄ、オプション設定ボタン１２０Ｅなど有している。これらのボタン１２０Ａ、１２０Ｂ、１２０Ｃ、１２０Ｄ、１２０Ｅは、設定する印字情報の種類を指定するボタンである。
【００６０】
たとえば、上記日付印字設定ボタン１２０Ａがタッチされると、上記印字データ設定部１２０には、図８に示すように、紙帯に印字する日付の内容（フォーマット、文字種、印字位置等）を設定する画面が表示される。
【００６１】
また、上記シーケンス印字設定ボタン１２０Ｂがタッチされると、上記印字データ設定部１２０には、紙帯に印字するシーケンス情報の内容（フォーマット、文字種、印字位置等）を設定する画面が表示される。
【００６２】
また、上記オペレータ印字設定ボタン１２０Ｃがタッチされると、上記印字データ設定部１２０には、紙帯に印字するオペレータ情報の内容（フォーマット、文字種、印字位置等）を設定する画面が表示される。
【００６３】
また、上記フリー印字設定ボタン１２０Ｄがタッチされると、上記印字データ設定部１２０には、紙帯にフリーで印字する情報（ユーザ独自の設定により印字させる情報）の内容（フォーマット、文字種、印字位置等）を設定する画面が表示される。
【００６４】
また、上記オプション設定ボタン１２０がタッチされると、上記印字データ設定部１２０には、印字内容に対するオプション設定を行う画面が表示される。たとえば、上記オプション設定ボタン１２０では、紙帯に印字する方向（文字の方向）などが設定される。
【００６５】
図８に示す印字データ設定部１２０の表示例は、上記日付印字設定ボタン１２０Ａがタッチされた場合を示している。すなわち、上記日付印字設定ボタン１２０Ａがタッチされると、上記印字データ設定部１２０には、日付印字指定ボタン１２１、文字種指定ボタン１２２、日付フォーマット指定ボタン１２３、日付印字開始位置設定部１２４などが表示される。
【００６６】
上記日付印字指定ボタン１２１は、紙帯に日付を印字するか否かを指定するボタンである。紙帯に日付を印字する場合、図８に示すように、日付印字指定ボタン１２１は、チェックボックスに印が表示された状態とする。上記文字種指定ボタン１２２は、日付として印字する文字種を指定するボタンである。紙帯に全角文字で日付を印字させる場合、図８に示すように、上記文字種指定ボタン１２２は、「Full  Width」に対応するチェックボックス内に印が表示された状態とする。
【００６７】
上記日付フォーマット指定ボタン１２３は、紙帯に印字する日付のフォーマットを指定するボタンである。紙帯に日付を「日／月／年」として印字する場合、上記日付フォーマット指定ボタン１２３は、図８に示すように、「ＤＤ／ＭＭ／ＹＹ」に対応するチェックボックス内に印が表示された状態とする。上記日付印字開始位置設定部１２４は、紙帯に印字する日付の印字開始の位置を指定する表示欄である。
【００６８】
また、上記適用ボタン１３１は、当該設定画面において設定した設定内容を選択している紙帯に対して適用する場合に指示されるボタンである。上記全適用ボタン１３２は、当該設定画面において設定した内容を全ての紙帯に対する設定として適用する場合に指示されるボタンである。上記プリセットボタン１３４は、設定名を設定することを指示するボタンである。上記リターンボタン１３５は、操作を元に戻すことを指示するボタンである。
【００６９】
次に、上記のようなレイアウト表示部１１１の表示内容について詳細に説明する。  
図１０は、レイアウト表示部１１１の表示例を示す図である。図１１は、所定数の紙幣に巻きつけられた紙帯の状態（施封した紙帯の状態）を示す図である。
【００７０】
図１０に示す例では、上記レイアウト表示部１１１に、日付情報の印字領域Ｒ１、シーケンス情報の印字領域Ｒ２、オペレータ情報の印字領域Ｒ３、および、フリー情報の印字領域Ｒ４が、それぞれ色分けして表示されている。また、各領域Ｒ１、Ｒ２、Ｒ３およびＲ４の色は、それぞれボタン１２０Ａ、１２０Ｂ、１２０Ｃおよび１２０Ｄで表示されている色である。なお、図１０では、日付情報の印字領域Ｒ１、シーケンス情報の印字領域Ｒ２、オペレータ情報の印字領域Ｒ３、および、フリー情報の印字領域Ｒ４を、それぞれ左下がり斜線、右下がり斜線、横線、および、縦線で示している。
【００７１】
このようなレイアウト表示部１１１の表示内容によれば、紙帯に印字する複数種類の情報としての日付情報、シーケンス情報、オペレータ情報、および、フリー情報は、紙帯においてどのように印字されるかを直感的に視認できる。この結果、ユーザに要望に応じた紙帯への印字内容の設定を容易に行うことができる。
【００７２】
また、図１０に示す例では、シーケンス情報の印字領域Ｒ２とフリー情報の印字領域Ｒ４とが重なっている領域Ｒ２４は、各領域Ｒ１、Ｒ２、Ｒ３、Ｒ４とは異なる色（たとえば、赤色）で表示されている。なお、図１０では、シーケンス情報の印字領域Ｒ２とフリー情報の印字領域Ｒ４とが重なっている領域Ｒ２４を黒で示している。
【００７３】
紙帯に印字する複数種類の情報としての日付情報、シーケンス情報、オペレータ情報、および、フリー情報は、文字などの情報である。このため、印字領域が重なっていても、印字された情報は、見にくくはなるが、人間の目で認識することが可能なことが多い。つまり、ユーザが重なって印字されることを許容すれば、異なる情報を重ねて印字するように設定することも可能である。
【００７４】
このようなレイアウト表示部１１１の表示内容によれば、紙帯に印字する複数種類の情報としての日付情報、シーケンス情報、オペレータ情報、および、フリー情報のうち、重なって印字される情報を直感的に視認することができる。この結果、複数の情報が重なって紙帯に印字されることを望まない場合には、重なり部分を容易に認識できることにより、複数種類の情報が確実に重ならないように設定するのが容易になる。逆に、ユーザが意図して重ねて複数の情報を印字したい場合には、重なり部分を容易に認識できることにより、所望の情報を重ねて印字するように設定することが容易となる。すなわち、ユーザに要望に応じた多様なレイアウトの設定が容易となる。
【００７５】
また、図１０に示す例では、上記レイアウト表示部１１１に、各券種に応じた紙帯のエッジ位置を示すバーＥ１、Ｅ２が表示されている。バーＥ１とバーＥ２とは、対になっており、券種ごとの紙幣に束に対する紙帯のエッジ位置を示している。
【００７６】
紙帯のエッジ位置とは、所定数の紙幣（束の紙幣）に紙帯を巻きつけたときの紙幣の束のエッジにあたる位置である。たとえば、図１１に示すように所定数の紙幣を施封した場合、紙帯は、第１のエッジ位置Ｅ１と第２のエッジ位置Ｅ２とを有することとなる。図１０に示す表示例においては、図１１に示す第１のエッジ位置Ｅ１が上段に表示されているバーＥ１であり、図１１に示す第２のエッジ位置Ｅ２が下段に表示されているバーＥ２である。
【００７７】
従って、紙帯を束の紙幣に巻きつけた状態において、バーＥ１より左側の領域が束の表面になるとすれば、バーＥ１とバーＥ２の間が束の側面となり、バーＥ２より右側が束の裏面となる。
【００７８】
また、各バーＥ１、Ｅ２は、券種ごとに色分けして表示されている。上述したように、券種ごとに紙幣のサイズあるいは厚さが異なる場合、同数の紙幣であっても、紙帯のエッジ位置は、券種ごとに異なる。このため、上記レイアウト表示部１１１では、紙帯のエッジ位置を券種ごとに色分けして表示している。
【００７９】
たとえば、図１０に示す例では、バーＥ１として、グレーのバーＥ１（グレー）、レッドのバーＥ１（レッド）、ブルーのバーＥ１（ブルー）、ベージュのバーＥ１（ベージュ）、グリーンのバーＥ１（グリーン）が表示されている。また、各バーＥ１に対応するバーＥ２として、グレーのバーＥ２（グレー）、レッドのバーＥ２（レッド）、ブルーのバーＥ２（ブルー）、ベージュのバーＥ２（ベージュ）、グリーンのバーＥ２（グリーン）が表示されている。
【００８０】
ここで、バーＥ１（グレー）及びバーＥ２（グレー）、バーＥ１（レッド）及びバーＥ２（レッド）、バーＥ１（ブルー）及びバーＥ２（ブルー）、バーＥ１（ベージュ）及びバーＥ２（ベージュ）、バーＥ１（グリーン）及びバーＥ２（グリーン）は、ぞれぞれ券種ごとの紙帯のエッジ位置を示している。たとえば、ユーロ紙幣は、券種ごとにグレー、レッド、ブルー、ベージュ、グリーンなどの色が用いられている。このような場合、上記レイアウト表示部１１１では、紙幣の色に対応した色で上記バーＥ１及Ｅ２を表示する。これにより、バーＥ１及びＥ２が、どの券種に対応するエッジ位置を示しているかを直感的に視認しやい。
【００８１】
このような券種ごとのエッジ位置を示すバーを表示することにより、各券種に対する紙帯の印字設定を容易に行うことができる。また、図１０に示す表示例では、各券種に対するバーを全て表示している。このため、全ての券種に共通な印字設定を行う場合であっても、全ての券種におけるエッジ位置を視認しつつ、印字設定を行うことが可能となる。
【００８２】
上記のように、本実施の形態では、紙葉類を所定数ごとに施封するための紙帯に印字される情報のレイアウトを表示部に表示した状態において、紙帯に印字する内容を設定するようにしたものである。これにより、紙帯に印字する内容を直感的に視認しつつ、設定することができ、紙帯に対する印字内容の設定を容易、かつ、確実に行うことができる。
【００８３】
さらに、紙帯に印字される複数種類の情報は、それぞれが色分けして表示するようにしたため、どのような情報が紙帯のどの位置に印字されるかを容易に視認することができる。  
また、紙帯に印字される複数種類の情報のうち、異なる種類の情報が重なって印字される領域は、他の領域とは異なる色で表示するようにしたため、複数の情報が重なって印字される領域を容易に視認することができる。  
また、所定数の紙幣の束におけるエッジ位置を券種ごとに色分けして表示するようにしため、各券種の束におけるエッジ位置を確認しつつ、紙帯への印字内容を設定することができる。
【図面の簡単な説明】
【００８４】
【図１】この発明の実施の形態に係る紙幣処理システム（紙葉類処理装置）の概略構成を示す図。
【図２】情報が印字された紙帯により施封された紙幣の束を示す図。
【図３】紙幣処理システムの制御系のブロック図を示す図。
【図４】制御装置においてカセットの設定画面を表示する動作を説明するためのフローチャート。
【図５】ログイン画面の表示例を示す図。
【図６】管理者の認証画面の表示例を示す図。
【図７】管理者用のメニュー画面の表示例を示す図。
【図８】紙帯プリントの設定画面の表示例を示す図。
【図９】情報入力ボタンの表示例を示す図。
【図１０】レイアウト表示部の表示例を示す図。
【図１１】紙幣の束に巻きつけられた紙幣の状態を示す図。
【符号の説明】
【００８５】
Ｐ…紙幣、１…紙幣処理装置本体、１Ａ…区分集積装置、１Ｂ…施封装置、２…制御装置、３０…検知部、４１〜４６…集積庫、５１、５２…集積庫、５４…施封機構、６０…制御部、６１…記憶部、６２…制御部、６３…搬送制御部、６４…ゲート制御部、６５…判定部、７０…制御部、７１…記憶部、７２…搬送制御部、７３…ゲート制御部、７４…移動機構、８０…制御部、８１…記憶部、８２…表示部、８３…操作部、１０１…情報入力ボタン、１０２…表示ウインドウ、１０２ａ…ボタン、１０４…記憶ボタン、１１１…レイアウト表示部、１２０…印字データ設定部、１３１…適用ボタン、１３２…全適用ボタン
【図１】
2006350823.tif 000003
【図２】
2006350823.tif 000004
【図３】
2006350823.tif 000005
【図４】
2006350823.tif 000006
【図５】
2006350823.tif 000007
【図６】
2006350823.tif 000008
【図７】
2006350823.tif 000009
【図８】
2006350823.tif 000010
【図９】
2006350823.tif 000011
【図１０】
2006350823.tif 000012
【図１１】
2006350823.tif 000013